(57)【要約】【課題】液体の透視度を計測する標識板を水平に保って、透視度を正確に測る。【解決手段】標識板２が水平から傾こうとした場合、上方結合個所７と標識板２との間の上方糸６ａの両側の長さがアンバランスとなろうとし、同じく上方結合個所７と標識板２との間の上方糸６ｂの長さもアンバランスとなろうとする。しかし、下方糸９ａ、９ｂは、上方糸６ａ、６ｂとほぼ直交しているので、下方糸９ａ、９ｂのうち一方が弛み、他方が過度に引っ張られる。そうすると、２つの下方糸９ａ、９ｂのバランスがとれなくなり、傾こうとした標識板２が元の水平に戻される。また、下方糸９ａ、９ｂの標識板２上面への当接方向に沿って標識板２が傾斜しようとすると、上方糸６ａ、６ｂのうち一方が弛み、他方が過度に引っ張られる。そうすると、２つの下方糸上方糸６ａ、６ｂのバランスがとれなくなり、傾こうとした標識板２が元の水平に戻される。【選択図】図３
2010085291.tif 000002
【特許請求の範囲】
【請求項１】
液体の中に浸され、当該液体の透視度または透明度を計測するための標識板において、
当該標識板の中心の周囲に配置され、糸が係合される複数の糸係合部であって、この標識板の中心を挟んで対向するこの糸係合部の標識板の中心からの距離は同じであり、
上記標識板の下側に当接され、この複数の糸係合部の２つに係合されて、上方に延びる複数の上方糸であって、この上方糸それぞれは異なる上記各糸係合部に係合されることを特徴とする透視度計測具。
【請求項２】
上記複数の上方糸は上記標識板の上方で結合され、この上方結合個所から延びる上方糸それぞれの長さは同じであることを特徴とする請求項１記載の透視度計測具。
【請求項３】
上記上方糸は少なくとも３つであり、この少なくとも３つのうちの少なくとも２つの上方糸の上記標識板の下側に当接する方向は互いに異なっていることを特徴とする請求項２記載の透視度計測具。
【請求項４】
上記標識板の中心の周囲に配置され、糸が係合される複数の糸係合部であって、この標識板の中心を挟んで対向するこの糸係合部の標識板の中心からの距離は同じであり、
上記標識板の上側に当接され、この複数の糸係合部の２つに係合されて、下方に延びる複数の下方糸であって、この下方糸それぞれは異なる上記各糸係合部に係合され、
この複数の下方糸は上記標識板の下方で結合され、この下方結合個所から延びる下方糸それぞれの長さは同じであり、
この下方結合個所またはこの下方結合個所の下方には、上記標識板を下方に付勢する付勢体が取り付けられていることを特徴とする請求項１記載の透視度計測具。
【請求項５】
上記上方糸は少なくとも２つであり、上記下方糸は少なくとも２つであり、この少なくとも２つの上方糸の上記標識板の下側に当接する方向と、この少なくとも２つの下方糸の上記標識板の上側に当接する方向とは互いに異なっていることを特徴とする請求項４記載の透視度計測具。
【請求項６】
上記透視度計測具は、透明の筒に充填された上記液体の中を下降されることを特徴とする請求項３または５記載の透視度計測具。
【発明の詳細な説明】
【技術分野】
【０００１】
本発明は、透視度計測具に関し、特に海、湖、川などの水、またはその他の液体の透視度または透明度を計測するものなどに関する。
【背景技術】
【０００２】
従来、この様な透視度または透明度を計測する道具としては、透視度計が知られている。このような透視度計では、高さ数十センチメートルの筒の底に白い標識板が配置され、この筒の中に透視度または透明度を計測する水などの液体が入れられ、筒の上方から計測者が覗きながら、筒の底付近から液体が徐々に排出され、上記標識板が見えたとき、液体の排出が止められ、このときの筒内の液体の残存の高さが透視度とされる。
【０００３】
また、海、湖などでは、直径３０センチメートルの白い円板の透明度板を紐でつりさげて、海面または水面から沈めていき、この透明度板が見えなくなったときの、紐の長さ、より正確には透明度板から海面または水面までの深さが透明度とされる。
【０００４】
【特許文献１】実開平９−３１８５３０号公報
【特許文献１】実開平１−１８０６４２号公報
【特許文献１】実公昭６２−６５１９号公報
【特許文献１】実公昭６３−１８９１２号公報
【特許文献１】特開平１１−３３７４８８号公報
【発明の開示】
【発明が解決しようとする課題】
【０００５】
上記透視度は濁りの多い排水などを計測するのに用いられ、筒の高さが数十センチメートルであると、川の水の透視度を計測するには低すぎる。川の水の透視度は通常１メートル乃至数メートルだからである。
【０００６】
また、上記透明度板を川に沈めても、川の水深は浅く、透明度板が見えなくなる前に、川底に透明度板が到達してしまい、川水の透明度を計測することができないことが多い。川の下流では水量が多く水深も深いため、透明度を計測できることが多いが、川の上流では水量が少なく水深も浅いため、透明度を計測できないことが多い。
【０００７】
さらに、上述のような透視度または透明度を計測するには、透明度板を「水平」に保持しなくてはならない。透明度板が傾いていると、透明度板からの白い光が計測者まで届きにくくなり、透明度が本来の値より小さくなってしまう。
【課題を解決するための手段】
【０００８】
上記目的を達成するために、本発明では、液体の中に浸され、当該液体の透視度または透明度を計測するための標識板において、  当該標識板の中心の周囲に配置され、糸が係合される複数の糸係合部であって、この標識板の中心を挟んで対向するこの糸係合部の標識板の中心からの距離は同じであり、  上記標識板の下側に当接して、この複数の糸係合部の２つに係合され、上方に延びる複数の上方糸であって、この上方糸それぞれは異なる上記各糸係合部に係合されるようにされた。
【０００９】
また、本発明では、上記標識板の中心の周囲に配置され、糸が係合される複数の糸係合部であって、この標識板の中心を挟んで対向するこの糸係合部の標識板の中心からの距離は同じであり、  上記標識板の上側に当接して、この複数の糸係合部の２つに係合され、下方に延びる複数の下方糸であって、この下方糸それぞれは異なる上記各糸係合部に係合され、  この複数の下方糸は上記標識板の下方で結合され、この下方結合個所から延びる下方糸それぞれの長さは同じであり、  この下方結合個所またはこの下方結合個所の下方には、上記標識板を下方に付勢する付勢体が取り付けられているようにされた。
【００１０】
本発明は川の水を透視度または透明度を計測するために発明されたが、湖水、海水、池水、遊水地の水、田畑の水、湧水、排水、下水、雨水、浄化水、水道水、水以外に揮発油、軽油、灯油、アルコール、その他の液体の透視度または透明度を計測することにも用いられ得る。
【発明の効果】
【００１１】
これにより、標識板が水平に保たれ、たとえ一つの上方糸が標識板を傾けようとしても、他の上方糸に弛みまたは過度の引っ張りが生じ、標識板の水平が維持される。また、たとえ一つの上方糸が標識板を傾けようとしても、他の下方糸に弛みまたは過度の引っ張りが生じ、標識板の水平が維持される。
【００１２】
また、上方糸は、上方から、標識板の糸係合部の１つに係合され、標識板の下側に当接され、標識板の糸係合部のさらに１つに係合され、上方に延びており、これが２つまたは３つ以上係合されるので、これらが上方で結合されれば、上方糸の長さが容易にそろう。さらに、下方糸は、下方から、標識板の糸係合部の１つに係合され、標識板の上側に当接され、標識板の糸係合部のさらに１つに係合され、下方に延びており、これが２つまたは３つ以上係合されるので、これらが下方で結合されれば、下方糸の長さが容易にそろう。したがって、上方糸または下方糸を１本ずつ標識板に係合する場合には、４本以上の上方糸または下方糸をそろえるのがかなり難しく、必ず１本以上が弛んでしまうが、本発明ではそのようなことがなくなる。この１本以上が弛んでも、この緩みはすぐに吸収される。
【発明を実施するための最良の形態】
【００１３】
（１）透視度計測具１
図１は透視度計測具１の外観を示す。標識板２は、透明の樹脂製で、十分の数ミリメートル乃至数ミリメートルの厚さで、数センチメートル四方の正方形状であり、重さは数グラム乃至数十グラムの軽量である。この標識板２は、液体の中に浸され、当該液体の透視度または透明度を計測するためのものである。この標識板２の中央には円形の白色の標識図形３が印刷されている。
【００１４】
この標識図形３には、標識図形３の中心には二本の平行な目印線４が形成され、この二本の目印線４の間を標識図形３の中心が位置している。この二本の目印線４には、直交するように二本の目印線４が形成されており、この直交する二本の目印線４の間も標識図形３の中心が位置している。
【００１５】
これら４本の目印線４では、上記白色の標識図形３が印刷されておらず、これによって目印線４が形成されている。この標識図形３及び４本の目印線４はＪＩＳ規格の透視度計の底の図形と同じ形状、模様、色彩であるが、このＪＩＳ企画の図形より大きくてもよい。
【００１６】
上記正方形状の標識板２の四隅には、糸係合穴５（糸係合部）が互いに等間隔で開けられており、上記標識板２の中心からこの４つの糸係合穴５まではほぼ等距離かつ等角度にある。この標識板２の下側に上方糸６ａ、６ｂが当接し、さらに隣り合う２つの糸係合穴５を上方糸６ａ、６ｂが挿通して係合され上方に延びて、上方結合個所７（結合位置）で上方糸６ａ、６ｂの両端が結ばれている。上記４つの糸係合穴５には、２つの上方糸６ａ、６ｂがそれぞれ挿通係合され、これら上方糸６ａ、６ｂの４つの端は一点で上方結合個所７に結ばれている。
【００１７】
１つの上方糸６ａ（６ｂ）は、隣り合う２つの糸係合穴５を挿通係合されており、２つの上方糸６ａ、６ｂそれぞれは、全く異なる糸係合穴５を挿通係合されている。この上方結合個所７から延びる２つの上方糸６ａ、６ｂの長さ、つまり上方結合個所７から一方の糸係合穴５を経て、他方の糸係合穴５を経て、再び上方結合個所７まで達する上方糸６ａ、６ｂの長さは同じである。
【００１８】
したがって、上方結合個所７は標識板２の中心の真上に位置する。上記上方結合個所７には、一本の吊下げ糸８が結ばれ、上方結合個所７から上方へ吊下げ糸８が延びており、吊下げ糸８に標識板２が吊下げられ懸垂されている。
【００１９】
上記４つの糸係合穴５のうち、１つの同じ上方糸６ａ（６ｂ）が架け渡されていない、つまり異なる上方糸６ａ、６ｂが架け渡されている、２つの糸係合穴５にわたって、１つの下方糸９ａ（９ｂ）が挿通係合されており、他の２つの糸係合穴５にわたっても、他の１つの下方糸９ｂ（９ａ）が挿通係合されている。すなわち、１つの下方糸９ａ（９ｂ）は、隣り合う２つの糸係合穴５を挿通係合されており、２つの下方糸９ａ、９ｂそれぞれは、全く異なる糸係合穴５を挿通係合されている。
【００２０】
上記標識板２の上側に上記２つの下方糸９ａ、９ｂが当接しており、この２つの下方糸９ａ、９ｂは、４つの糸係合穴５から下方に延びて、これら下方糸９ａ、９ｂの４つの端は一点で下方結合個所１０に結ばれている。この下方結合個所１０から延びる２つの下方糸９ａ、９ｂの長さ、つまり下方結合個所１０から一方の糸係合穴５を経て、他方の糸係合穴５を経て、再び下方結合個所１０まで達する下方糸９ａ、９ｂの長さは同じである。したがって、下方結合個所１０は標識板２の中心の真下に位置する。
【００２１】
この下方結合個所１０には錘１１（付勢体）が結び付けられて取り付けられており、この錘１１の重みによって、標識板２が下方に付勢されている。この錘１１は数十グラム乃至数百グラムであり、上記標識板２の重量の１倍乃至１０００倍、１０倍乃至１００倍、数倍乃至数十倍であり、標識板２の重量より重い。
【００２２】
これにより、標識板２がふら付いたり、振動したりされることが防止される。また、この錘１１の付勢によって、下方糸９ａ、９ｂ及び上方糸６ａ、６ｂが引っ張られて弛むことがなく、標識板２が固定される。したがって、標識板２が回転したり、傾いたりされるのも防止される。
【００２３】
上記上方糸６ａ、６ｂ及び下方糸９ａ、９ｂは釣り糸など、細くて透明で丈夫なものが選択され、標識板２の標識図形３を見るのに支障にならない。上記錘１１は鉛製で釣り具の錘が使用されるが、他の金属製、ガラス製、樹脂性、セラミック製、これらの混合物などでもよい。上記上方糸６ａ、６ｂの長さと下方糸９ａ、９ｂの長さとは同じであるが、異なっていてもよい。
【００２４】
上方糸６ａ、６ｂの方が長いと、標識板２の標識図形３が見やすくなるが、４つの糸係合穴５に加わる錘１１の力が大きくなる。下方糸９ａ、９ｂの方が長いと、４つの糸係合穴５に加わる錘１１の力が小さくなるが、標識板２の標識図形３が見にくくなる。
【００２５】
上記上方糸６ａ、６ｂの４つの糸係合穴５のすぐ上には糸固定具１２がそれぞれ取り付けられている。この糸固定具１２は、釣り糸に固定される釣り具の固定具であり、糸固定具１２の中を上方糸６ａ、６ｂが通って反転して糸固定具１２の中を上方糸６ａ、６ｂが再度通るなどして、糸固定具１２は上方糸６ａ、６ｂに固定される。これにより、糸固定具１２によって標識板２が固定され、水平から傾かないように保持される。
【００２６】
この糸固定具１２の固定にあたっては、または上方結合個所７への上方糸６ａ、６ｂの結合、または下方結合個所１０への下方糸９ａ、９ｂの結合にあたっては、標識板２が水平になるように、そして吊下げ糸８に対して標識板２が直交するように調整しながら、固定または結合される。
【００２７】
（２）透視度計測具１の使用方法
図２は、測定筒１３を示す。この測定筒１３は、円筒状で、塩化ビニールなどの樹脂製であり、透光性で、透明または半透明であり、直径十数センチメートル乃至数センチメートル、高さ５０センチメートル乃至１メートルであり、底は密封されている。
【００２８】
この測定筒１３には、底の無い貫通しているものもある。底のある測定筒１３に底のある測定筒１３を上に繋いでいき、測定筒１３の高さを１．５メートル、２メートル、２．５メートル、３メートル、…に大きくできる。測定筒１３の連結個所には接着剤、市販のパイプ用ソケット（図示せず）が使用され、中の液体が漏れないように密封される。
【００２９】
このように連結された測定筒１３の中に測定する川の水などの液体を充てんし、上記透視度計測具１を上方から静かに沈めていく。測定筒１３の上から覗きながら、標識板２の上面の標識図形３が見えなくなった時点で、透視度計測具１の沈降を停止する。このとき、標識板２と測定筒１３内の液体の液面または水面との距離を測定し、これが透視度または透明度となる。
【００３０】
この場合、標識図形３の十字形の二本の平行な目印線４が二本にはっきり見える状態では視度計測具１を沈めていき、目印線４がぼやけて一重の十字形に見えたとき透視度計測具１の沈降を停止する。または、水を充てんした測定筒１３の底まで視度計測具１を沈め、徐々に静かに視度計測具１を引き上げていき、目印線４がぼやけて一重の十字形に見える状態から、二本にはっきり見える状態になったら、視度計測具１の引上げを停止して、標識板２と測定筒１３内の液体の液面または水面との距離を測定する。
【００３１】
このような透視度または透明度が計測されるのは、川の水のほか、湖水、海水、池水、遊水地の水、田畑の水、湧水、排水、下水、雨水、浄化水、水道水、水以外に油、液体燃料、揮発油、軽油、灯油、重油、アルコール、その他の液体でもよい。
【００３２】
このような透視度計測具１は、測定筒１３の中以外でも使用可能であり、直接、湖、海、池、遊水地、田畑、水深のある川など、屋外でも使用可能である。このような測定筒１３の一部の側部が黒い布・紙・シートなどで遮光されてもよい。
【００３３】
（３）透視度計測具１の作用効果
図３は、透視度計測具１の作用効果を示す。上記標識板２が水平から傾こうとした場合、もし下方糸９ａ、９ｂが無く、上方糸６ａ、６ｂのみの場合には、標識板２が水平から傾くことが許容される。これは、標識板２の下面に当接する上方糸６ａ、６ｂの方向が平行でも平行でなくても許容される。ただし、平行の方がより許容され、直交に近づくほど、標識板２が傾きにくくなる。
【００３４】
上記標識板２が水平から傾こうとした場合、上方結合個所７と標識板２との間の上方糸６ａの両側の長さがアンバランスとなろうとし、同じく上方結合個所７と標識板２との間の上方糸６ｂの長さもアンバランスとなろうとする。しかし、下方糸９ａ、９ｂは、上方糸６ａ、６ｂとほぼ直交しているので、下方糸９ａ、９ｂのうち一方が弛み、他方が過度に引っ張られる。
【００３５】
そうすると、２つの下方糸９ａ、９ｂのバランスがとれなくなり、傾こうとした標識板２が元の水平に戻される。また、下方糸９ａ、９ｂの標識板２上面への当接方向に沿って標識板２が傾斜しようとすると、上方糸６ａ、６ｂのうち一方が弛み、他方が過度に引っ張られる。
【００３６】
そうすると、２つの下方糸上方糸６ａ、６ｂのバランスがとれなくなり、傾こうとした標識板２が元の水平に戻される。このような水平維持は、上方糸６ａ、６ｂが少なくとも２つであり、しかも下方糸９ａ、９ｂは少なくとも２つの時に達成される。いずれか一方標識板２でも２つ未満では達成されない。
【００３７】
上述のように、糸係合穴５は標識板２の中心からほぼ異なる方向に位置し、上方糸６ａ、６ｂそれぞれ及び下方糸９ａ、９ｂそれぞれは異なる糸係合穴５に係合されるので、上方糸６ａ、６ｂの当接方向と下方糸９ａ、９ｂの当接方向とは異なっている。
【００３８】
すなわち、上記標識板２の下側に当接する上記２つの上方糸６ａ、６ｂの方向は同じまたは異なっていても、上記標識板２の上側に当接する上記２つの下方糸９ａ、９ｂの方向は同じまたは異なっていても、上方糸６ａ、６ｂの当接方向と下方糸９ａ、９ｂの当接方向とは異なっている。これにより、上記標識板２が水平から傾こうとしても、上方糸６ａ、６ｂの一部が弛むまたは過度に引っ張られ、若しくは下方糸９ａ、９ｂの一部が弛むまたは過度に引っ張られるので、標識板２は元の水平に復帰される。
【００３９】
なお、標識板２は重いものが選択されてもよい。また、下方糸９ａ、９ｂ及び錘１１も省略されてもよい。この場合には、上方糸６ａ、６ｂは少なくとも３つとなる。この少なくとも３つの上方糸６ａ、６ｂの標識板２の下側に当接する方向も互いに異なっている。これにより、下方糸９ａ、９ｂが無くても、上記標識板２が水平から傾こうとしても、３つの上方糸６ａ、６ｂの一部が弛むまたは過度に引っ張られるので、標識板２は元の水平に復帰される。
【００４０】
ただし、上記糸固定具１２があれば、下方糸９ａ、９ｂが無く、かつ上方糸６ａ、６ｂが２つでも水平は維持される。このとき、糸固定具１２が無くても、上方糸６ａ、６ｂが糸係合穴５に接着剤などで固定されてもよい。この場合でも、下方糸９ａ、９ｂが無く、かつ上方糸６ａ、６ｂが２つでも水平は維持される。
【００４１】
また、上方糸６ａ、６ｂは、上方から、標識板２の糸係合部５の１つに係合され、標識板２の下側に当接され、標識板２の糸係合部５のさらに１つに係合され、上方に延びており、これが２つまたは３つ以上係合されるので、これらが上方で結合されれば、上方糸６ａ、６ｂの長さが容易にそろう。さらに、下方糸９ａ、９ｂは、下方から、標識板２の糸係合部の１つに係合され、標識板２の上側に当接され、標識板２の糸係合部５のさらに１つに係合され、下方に延びており、これが２つまたは３つ以上係合されるので、これらが下方で結合されれば、下方糸９ａ、９ｂの長さが容易にそろう。
【００４２】
したがって、上方糸６ａ、６ｂまたは下方糸９ａ、９ｂを１本ずつ標識板２に係合する場合には、４本以上の上方糸６ａ、６ｂまたは下方糸９ａ、９ｂをそろえるのがかなり難しく、必ず１本以上が弛んでしまうが、本実施例ではそのようなことがなくなる。この１本以上が弛んでも、この緩みはすぐに吸収される。
【００４３】
（４）他の実施の形態
本発明は、上記実施例に限定されず、種々変更可能である。例えば、糸係合穴５の数は、４個以外に、３個、５個、６個、７個、８個、９個、１０個、…などでもよい。これに応じて、上方糸６ａ、６ｂの数、下方糸９ａ、９ｂの数も増えるまたは減少する。この場合、隣り合う、一個置き、二個置き、…の２つの糸係合穴５に、上方糸６ａ、６ｂまたは下方糸９ａ、９ｂが挿通係合される。
【００４４】
糸係合穴５の数が、３個、５個、７個、…の奇数の場合には、糸係合部５は標識板２の中心を挟んで対向することにはならない。しかし、この場合には、各糸係合部５は等間隔、または標識板２の中心から等角度、または標識板２の中心から等距離のいずれか１つまたは２つ以上が満たされるように糸係合部５の位置が決定される。
【００４５】
同じ２つの糸係合部５に、上方糸６ａ、６ｂと下方糸９ａ、９ｂとが同時に挿通係合されてもよい。この場合、１つの糸係合部５に上方糸６ａ、６ｂと下方糸９ａ、９ｂとが挿通係合され、かつ標識板２の同じ個所の上下に上方糸６ａ、６ｂと下方糸９ａ、９ｂとが当接する。
【００４６】
上方糸６ａ、６ｂと下方糸９ａ、９ｂとは、複数の糸係合穴５を２つずつ交互に挿通係合される。ただし、糸係合穴５が奇数の場合には、同じ２つの糸係合穴５に１つの上方糸６ａ、６ｂも１つの下方糸９ａ（９ｂ）も挿通係合される。この１つの上方糸６ａ（６ｂ）も１つの下方糸９ａ（９ｂ）も挿通係合される２つの糸係合穴５は、全ての糸係合穴５の中の２つだけである。
【００４７】
しかし、１つの上方糸６ａ（６ｂ）も１つの下方糸９ａ（９ｂ）も挿通係合される２つの糸係合穴５は、３つ、それ以上、全てであってもよく、これは糸係合穴５の数が奇数の場合だけでなく偶数の場合でも可能である。この全ての場合、標識板２の糸係合穴５の各間すべてに、上方糸６ａ、６ｂが下方から当接し、下方糸９ａ、９ｂが上方から当接する。このように下方糸９ａ、９ｂまたは／及び上方糸６ａ、６ｂが多いほど、標識板２は水平から傾きにくくなり水平に安定する。
【００４８】
上記実施例では、１つの糸係合穴５には、上方糸６ａ、６ｂも下方糸９ａ、９ｂも挿通係合していた。これにより、糸係合穴５の数が少なくて済む。しかし、１つの糸係合穴５に、上方糸６ａ、６ｂのみが挿通係合してもよいし、下方糸９ａ、９ｂのみが挿通係合してもよい。これにより、下方糸９ａ、９ｂの糸係合穴５に対する動き、上方糸６ａ、６ｂの糸係合穴５に対する動きが円滑になる。
【００４９】
このとき、上方糸６ａ、６ｂが挿通係合する糸係合穴５と、下方糸９ａ、９ｂが挿通係合する糸係合穴５とは、全く異なる、または一部異なっていて、全部または一部共用されなくてもよい。さらに、上方糸６ａ、６ｂが挿通係合する糸係合穴５と、下方糸９ａ、９ｂが挿通係合する糸係合穴５とは、標識板２の中心からの距離が上述のように同じでもよいし異なっていてもよい。
【００５０】
図４に示すように、全ての糸係合穴５の位置は標識板２の中心から等距離でなくてもよい。図４では、糸係合穴５の各位置は等角度で等間隔にある。また、図５に示すように、全ての糸係合穴５の位置は標識板２の中心から等角度でなくてもよいし、糸係合穴５の各間隔は異なっていてもよい。図５では、糸係合穴５の各位置は標識板２の中心から等距離にある。
【００５１】
図６及び図７に示すように、上方糸６ａ、６ｂが挿通係合する糸係合穴５と、下方糸９ａ、９ｂが挿通係合する糸係合穴５とは、共通ではなく分かれていてもよい。図６及び図７では、糸係合穴５の各位置は等角度にあり、上方糸６ａ、６ｂが挿通係合する糸係合穴５は等間隔にあり、下方糸９ａ、９ｂが挿通係合する糸係合穴５も等間隔にある。
【００５２】
図８に示すように、糸係合穴５の位置は標識板２の中心から等間隔ではなく等距離でなく糸係合穴５の各位置は等間隔にもなくてもよい。図９に示すように、上方糸６ａ、６ｂが挿通係合する糸係合穴５と、下方糸９ａ、９ｂが挿通係合する糸係合穴５とが１つ置き、つまり交互となっていてもよい。図８及び図９では糸係合穴５は６個で、上方糸６ａ、６ｂ、６ｃは３個、下方糸９ａ、９ｂ、９ｃも３個となっている。図９の１つ置きは、糸係合穴５の数が増えて、二つ置き、三つ置き、四つ置き、…などでもよい。
【００５３】
これら図４乃至図９の場合でも、標識板２の中心を挟んで対向する糸係合穴５の標識板２の中心からの距離は同じといえる。この場合でも、上方糸６ａ、６ｂ、６ｃそれぞれの長さ、下方糸９ａ、９ｂ、９ｃそれぞれの長さが同じであれば、標識板２の水平は保たれる。
【００５４】
なお、全ての糸係合穴５の位置が標識板２の中心から等距離でない場合、全ての糸係合穴５の位置が標識板２の中心から等角度となっていてもよいしそうでなくてもよいし、または糸係合穴５の各間隔が同じとなっていてもよいしそうでなくてもよい。全ての糸係合穴５の位置が標識板２の中心から等角度でない場合、全ての糸係合穴５の位置が標識板２の中心から等距離でなっていてもよいしそうでなくてもよいし、または糸係合穴５の各間隔が同じとなっていてもよいしそうでなくてもよい。糸係合穴５の各間隔が同じとなっていない場合、全ての糸係合穴５の位置が標識板２の中心から等角度となっていてもよいしそうでなくてもよいし、全ての糸係合穴５の位置が標識板２の中心から等距離でなっていてもよいしそうでなくてもよい。
【００５５】
上記１つの上方糸６ａ（６ｂ）または１つの下方糸９ａ（９ｂ）が挿通係合される糸係合穴５は２つであったが、３つでも、４つでも、５つ以上でもよい。このうち挿通係合する糸係合穴５が奇数のときは、下方糸９ａ、９ｂまたは上方糸６ａ、６ｂは、標識板２の外縁を迂回して標識板２の一面から他面へつながる。
【００５６】
上記糸係合穴５は穴状のほか、標識板２の外縁から凹んだ凹部であってもよい。この場合、この凹部は「Ｊ状」「Ｌ状」「Ｖ状」「Ｚ状」「Ｗ状」「Ｓ状」らせん状であってもよく、これにより糸係合穴５から上方糸６ａ、６ｂまたは下方糸９ａ、９ｂが外れにくくなる。
【００５７】
上記吊下げ糸８が細い筒状の留め具（図示せず）に挿通係合され、この留め具が吊下げ糸８から上方糸６ａ、６ｂにわたって上下に移動されることによって、上方結合個所７は上下に移動してもよい。これにより、標識板２の標識図形３を見やすい位置に上方結合個所７を移動させることができる。
【００５８】
上記下方結合個所１０の下に吊下げ糸（図示せず）が連結され、この吊下げ糸の下端に上記錘１１が連結されてもよい。そして、同様に、この吊下げ糸が細い筒状の留め具（図示せず）に挿通係合され、この留め具が吊下げ糸から下方糸９ａ、９ｂにわたって上下に移動されることによって、下方結合個所１０は上下に移動してもよい。これにより、４つの糸係合穴５に加わる錘１１の力を調整できる。また、この上下動可能な留め具が、この錘１１とされてもよい。
【００５９】
上記上方糸６ａ、６ｂと標識板２の下との間には、ローラが介在されるなど、別物が介在されてもよく、上記下方糸９ａ、９ｂと標識板２の上との間には、やはりローラが介在されるなど、別物が介在されてもよい。この場合でも当接していることにかわりはない。
【００６０】
上記糸固定具１２の一部または全部は省略されてもよい。この場合でも、標識板２が水平から傾こうとしても、上方糸６ａ、６ｂの一部が弛むまたは過度に引っ張られ、若しくは下方糸９ａ、９ｂの一部が弛むまたは過度に引っ張られるので、標識板２は元の水平に復帰される。
【００６１】
上記錘１１の代わりに、下方糸９ａ、９ｂの下端に連結されたスプリングが設けられてもよい。このスプリングの下端は上記測定筒１３の底に固定される。また標識板２自体が重い重量のあるものでもよい。これらでも、標識板２は下方に付勢される。
【００６２】
上記標識板２は、正方形板状以外に、長方形板、ひし形板、平行四辺形板、三角形板、五角形板、六角形板、七角形板、八角形板、九角形板、十角形板、…、円形板、楕円板などでもよい。上記標識板２は、立方体、直方体、多角形柱、多角形筒、円柱、円筒、楕円柱、楕円筒、半球、角錐台、円錐台などでもよい。上記標識板２の上面は水平かつ平坦で、標識図形３が形成できれば、どのような形態でもよい。
【００６３】
また、標識板２は複数層に積層されてもよい。これにより、糸係合穴５に架け渡されている上方糸６ａ、６ｂまたは下方糸９ａ、９ｂの部分を、標識板２の上面または下面に露出させず、複数層の標識板２の間に遮蔽しておくことができる。
【００６４】
上記標識板２は撓むことが可能で可撓性があるが、撓み難い剛体であってもよい。この剛体のときには、２つの上方糸６ａ、６ｂが挿通係合する糸係合穴５の各間隔は異なっていてもよく、この各糸係合穴５の各位置は標識板２の中心から等距離及び等角度ではない。これにより、標識板２が傾斜するときの、糸係合穴５を通過する上方糸６ａ、６ｂの通過量が、上方糸６ａ、６ｂごとに異なり、標識板２が捻じれようとするが、標識板２の剛性によって捻じれが防がれ、この結果標識板２が水平に戻る。
【００６５】
この場合、下方糸９ａ、９ｂは省略されても有ってもよく、上方糸６ａ、６ｂは３つではなく２つでも、標識板２の水平は維持される。ただし、２つの上方糸６ａ、６ｂの長さは異なり、上方結合個所７は標識板２の中心の真上に位置する。
【００６６】
同様に、標識板２が剛体のとき、２つの下方糸９ａ、９ｂが挿通係合する糸係合穴５の各間隔は異なっていてもよく、この各糸係合穴５の各位置は標識板２の中心から等距離及び等角度ではない。これにより、標識板２が傾斜するときの、糸係合穴５を通過する下方糸９ａ、９ｂの通過量が、下方糸９ａ、９ｂごとに異なり、標識板２が捻じれようとするが、標識板２の剛性によって捻じれが防がれ、この結果標識板２が水平に戻る。
【００６７】
この場合、下方糸９ａ、９ｂは２つで、上方糸６ａ、６ｂは１つでも、標識板２の水平は維持される。ただし、２つの下方糸９ａ、９ｂの長さは異なり、１つの上方糸６ａ、６ｂが挿通係合される２つの糸係合穴５の位置は、標識板２の中心を挟み、上方結合個所７は標識板２の中心の真上に位置し、下方結合個所１０は標識板２の中心の真下に位置する。
【００６８】
下方糸９ａ、９ｂそれぞれ、上方糸６ａ、６ｂそれぞれの長さは異なっていてもよいが、標識板２が水平に保たれるように、上方結合個所７及び／または下方結合個所１０の位置が調整される。下方糸９ａ、９ｂ及び上方糸６ａ、６ｂはナイロン製などの樹脂製、繊維製、ゴム製、金属製、カーボン製、これらの混合物などでもよいし、糸のほか、紐、帯、リボン、バンドなどでもよい。標識板２は、樹脂製、セラミック製、ガラス製、ゴム製、金属製、カーボン製、これらの混合物などでもよい。
【００６９】
上記上方結合個所７は省略可能である。この場合、各上方糸６ａ、６ｂが測定筒１３の上縁まで延びる。また、下方結合個所１０は省略可能である。この場合、各下方糸９ａ、９ｂの両端に錘１１または上記スプリングが取り付けられる。このスプリングの下端は上記測定筒１３の底に固定される。
【００７０】
（５）他の発明の効果
[１]液体の中に浸され、当該液体の透視度または透明度を計測するための標識板において、  当該標識板の中心の周囲に配置され、糸が係合される複数の糸係合部であって、この標識板の中心を挟んで対向するこの糸係合部の標識板の中心からの距離は同じであり、  上記標識板の下側に当接され、この複数の糸係合部の２つに係合されて、上方に延びる複数の上方糸であって、この上方糸それぞれは異なる上記各糸係合部に係合されることを特徴とする透視度計測具。これにより、標識板を水平に設定できる。
【００７１】
[２]上記複数の上方糸は上記標識板の上方で結合され、この上方結合個所から延びる上方糸それぞれの長さは同じであることを特徴とする請求項１記載の透視度計測具。これにより、上方糸それぞれの長さは同じであるから、標識板を水平に設定するのが容易になる。
【００７２】
[３]上記上方糸は少なくとも３つであり、この少なくとも３つのうちの少なくとも２つの上方糸の上記標識板の下側に当接する方向は互いに異なっていることを特徴とする請求項１または２記載の透視度計測具。これにより、下方糸が無くても、上記標識板が水平から傾こうとしても、３つの上方糸の一部が弛むまたは過度に引っ張られるので、標識板は元の水平に復帰される。
【００７３】
[４]上記標識板の中心の周囲に配置され、糸が係合される複数の糸係合部であって、この標識板の中心を挟んで対向するこの糸係合部の標識板の中心からの距離は同じであり、  上記標識板の上側に当接され、この複数の糸係合部の２つに係合されて、下方に延びる複数の下方糸であって、この下方糸それぞれは異なる上記各糸係合部に係合され、  この複数の下方糸は上記標識板の下方で結合され、この下方結合個所から延びる下方糸それぞれの長さは同じであり、  この下方結合個所またはこの下方結合個所の下方には、上記標識板を下方に付勢する付勢体が取り付けられていることを特徴とする請求項１、２または３記載の透視度計測具。これにより、上方糸だけでなく下方糸も使って、標識板を水平に保持できるので、標識板が水平から傾く可能性がより低くなる。
【００７４】
[５]上記上方糸は少なくとも２つであり、上記下方糸は少なくとも２つであり、この少なくとも２つの上方糸の上記標識板の下側に当接する方向と、この少なくとも２つの下方糸の上記標識板の上側に当接する方向とは互いに異なっていることを特徴とする請求項１、２、３または４記載の透視度計測具。これにより、上記標識板が水平から傾こうとしても、上方糸の一部が弛むまたは過度に引っ張られ、若しくは下方糸の一部が弛むまたは過度に引っ張られるので、標識板は元の水平に復帰される。
【００７５】
[６]上記透視度計測具は、透明の筒に充填された上記液体の中を下降されることを特徴とする請求項１、２、３、４または５記載の透視度計測具。これにより、川の水のように、絶えず流れがあったり渦を巻いていたりして、透視度または透明度が安定しない液体でも正確に静止した状態で透視度または透明度を計測できる。
【００７６】
[７]上記複数の糸係合部は、上記標識板の中心からほぼ等角度の位置かつ等距離の位置にありさらに各糸係合部は等間隔にあり、または上記標識板の中心からほぼ等距離の位置にあり等角度の位置にあり各糸係合部は等間隔になく、または上記標識板の中心からほぼ等距離の位置にあり等角度の位置になく各糸係合部は等間隔にあり、または上記標識板の中心からほぼ等距離の位置になく等角度の位置にあり各糸係合部は等間隔にあり、または上記標識板の中心からほぼ等距離の位置にあり等角度の位置になく各糸係合部は等間隔になく、または上記標識板の中心からほぼ等距離の位置になく等角度の位置にあり各糸係合部は等間隔になく、または上記標識板の中心からほぼ等距離の位置になく等角度の位置になく各糸係合部は等間隔にあり、または上記標識板の中心からほぼ等距離の位置になく等角度の位置になく各糸係合部は等間隔にないことを特徴とする請求項１、２、３、４、５または６記載の透視度計測具。これでも、同様に標識板の水平を保持／維持できる。
【産業上の利用可能性】
【００７７】
液体の透視度を計測する標識板を水平に保って、透視度を正確に測る。標識板２が水平から傾こうとした場合、上方結合個所７と標識板２との間の上方糸６ａの両側の長さがアンバランスとなろうとし、同じく上方結合個所７と標識板２との間の上方糸６ｂの長さもアンバランスとなろうとする。しかし、下方糸９ａ、９ｂは、上方糸６ａ、６ｂとほぼ直交しているので、下方糸９ａ、９ｂのうち一方が弛み、他方が過度に引っ張られる。
【００７８】
そうすると、２つの下方糸９ａ、９ｂのバランスがとれなくなり、傾こうとした標識板２が元の水平に戻される。また、下方糸９ａ、９ｂの標識板２上面への当接方向に沿って標識板２が傾斜しようとすると、上方糸６ａ、６ｂのうち一方が弛み、他方が過度に引っ張られる。そうすると、２つの下方糸上方糸６ａ、６ｂのバランスがとれなくなり、傾こうとした標識板２が元の水平に戻される。
【図面の簡単な説明】
【００７９】
【図１】透視度計測具１の外観を示す。
【図２】透明度または透視度が測定される液体が浸される測定筒１３を示す。
【図３】透視度計測具１の標識板２の水平保持の作用効果を示す。
【図４】全ての糸係合穴５の位置が標識板２の中心から等距離ではない実施例を示す。
【図５】全ての糸係合穴５の位置が標識板２の中心から等角度ではない実施例を示す。
【図６】上方糸６ａ、６ｂが挿通係合する糸係合穴５と、下方糸９ａ、９ｂが挿通係合する糸係合穴５とは、共通ではなく分かれている実施例を示す。
【図７】上方糸６ａ、６ｂが挿通係合する糸係合穴５と、下方糸９ａ、９ｂが挿通係合する糸係合穴５とは、共通ではなく分かれている実施例を示す。
【図８】糸係合穴５の位置は標識板２の中心から等間隔ではなく等距離でなく糸係合穴５の各位置は等間隔にもない実施例を示す。
【図９】上方糸６ａ、６ｂが挿通係合する糸係合穴５と、下方糸９ａ、９ｂが挿通係合する糸係合穴５とが１つ置きつまり交互となっている実施例を示す。
【符号の説明】
【００８０】
１…透視度計測具、２…標識板、
３…標識図形、４…目印線、
５…糸係合穴（糸係合部）、
６ａ、６ｂ、６ｃ…上方糸、
７…上方結合個所、８…吊下げ糸、
９ａ、９ｂ、９ｃ…下方糸、
１０…下方結合個所、１１…錘（付勢体）、
１２…糸固定具、１３…測定筒。
【図１】
2010085291.tif 000003
【図２】
2010085291.tif 000004
【図３】
2010085291.tif 000005
【図４】
2010085291.tif 000006
【図５】
2010085291.tif 000007
【図６】
2010085291.tif 000008
【図７】
2010085291.tif 000009
【図８】
2010085291.tif 000010
【図９】
2010085291.tif 000011